(57)【要約】【課題】ゴムホースの劣化等を効果的に防止する。【解決手段】ホースエンド２４が連結されるガス接続管２３の下面には、軸方向にストッパ３１が突設され、ホースエンド２４の抜け止め用のビス２８，２８とストッパ３１との干渉により、ホースエンド２４は、ガス接続管２３より下側で、二本のビス２８，２８が夫々ストッパ３１と当接する角度α（１８０°以下）の範囲でのみ回転が可能となって、本体上方の排気口側へゴムホース３２が向かないようになっている。【選択図】  図４
2004290378.tif 000002
【特許請求の範囲】
【請求項１】
釜を収容する筒状の本体の底部にガスバーナを備え、前記本体の側面に、前記ガスバーナの燃焼により発生する燃焼ガスの排気口を形成する一方、前記本体の側面にガス接続管を突出させて、そのガス接続管に、一端にゴムホースを接続可能なＬ字状の接続筒の他端を回転可能に連結したガス炊飯器であって、
前記接続筒のゴムホース側の一端が前記排気口側を向かない範囲でのみ前記接続筒の回転を許容する回転規制手段を設けたことを特徴とするガス炊飯器。
【請求項２】
接続筒が、ガス接続管に形成されたフランジと、前記接続筒の外周から半径方向に螺合されたビスとの干渉により前記ガス接続管へ抜け止め連結されるものにあっては、回転規制手段を、前記ガス接続管に突設したストッパと前記ビスとの干渉によるものとした請求項１に記載のガス炊飯器。
【発明の詳細な説明】
【０００１】
【発明の属する技術分野】
本発明は、ガスバーナを燃焼させて炊飯を行うガス炊飯器に関する。
【０００２】
【従来の技術】
ガス炊飯器は、釜を収容する筒状の本体の底部に、ガスバーナと、ガスバーナへのガスの供給を制御する電磁弁等を備えた点滅器とを備え、電磁弁や点火手段を制御する制御基板がガスバーナを所定の炊飯シーケンスに従って燃焼させることで炊飯が可能となっている。また、本体の側面には、ガスバーナの燃焼により発生する燃焼ガスの排気口が形成されている。例えば特許文献１のガス炊飯器では、釜の上縁のフランジをケース体の上端で受けて釜を支持する構造において、釜の側面でフランジの下方にリブを立設することで、ケース体の上端に排気口となる隙間（排気口）を形成可能としている。
一方、本体の側面には、点滅器からのガス接続管が突出しており、このガス接続管に、一端にゴムホースを接続したＬ字状のホースエンド（接続筒）の他端が接続されて、ガスバーナへのガスの供給を可能としている。なお、ホースエンドは、ゴムホースの引き回しに便利なように、ガス接続管に対して回転可能に接続されている。
【０００３】
【特許文献１】
特開平１１−３３２７３７号公報
【０００４】
【発明が解決しようとする課題】
しかし、ホースエンドが回転可能であると、ゴムホース側の端部が上方を向いた場合に、ゴムホースが高温となる排気口付近を通ったり、排気口に触れたりして、ゴムホースに劣化や損傷を生じさせるおそれがある。このため排気口を部分的に塞ぐ対策が考えられるが、排気通路が偏る格好となるため、加熱分布にムラが生じてしまう。かといってホースエンドを固定させるとゴムホースの引き回しに不便となり、使い勝手を損ねる。
【０００５】
そこで、請求項１に記載の発明は、加熱分布や使い勝手を損ねることなく、ゴムホースの劣化等を効果的に防止できるガス炊飯器を提供することを目的としたものである。
【０００６】
【課題を解決するための手段】
上記目的を達成するために、請求項１に記載の発明は、接続筒のゴムホース側の一端が排気口側を向かない範囲でのみ接続筒の回転を許容する回転規制手段を設けたことを特徴とするものである。
請求項２に記載の発明は、請求項１の目的に加えて、回転規制手段を簡単に形成するために、接続筒が、ガス接続管に形成されたフランジと、接続筒の外周から半径方向に螺合されたビスとの干渉によりガス接続管へ抜け止め連結されるものにあっては、回転規制手段を、ガス接続管に突設したストッパとビスとの干渉による構成としたものである。
【０００７】
【発明の実施の形態】
以下、本発明の実施の形態を図面に基づいて説明する。
図１は、ガス炊飯器の一例を示す全体説明図で、ガス炊飯器１は、筒状の本体２と、その本体２に収容される釜３と、釜３の上部開口を閉塞する蓋４とからなる。まず本体２は、底板５によって底部を閉塞した筒状の外胴６内に、やや小径の内胴７を同軸で収容し、外胴６と内胴７との上端縁間に上カバー８を周設した二重構造で、内胴７の下方には、中央を開口した仕切板９が固定されている。
また、本体２の底部中央には、図２にも示すように、ガスバーナ１１と、電磁弁１２やガバナ１３等を備えてガスバーナ１１へのガス供給路を内設する点滅器１４とが設置され、ガスバーナ１１が仕切板９の開口１０を貫通して上方へ突出している。１５は、ガスバーナ１１の中央に立設されて釜３の底部に当接する温度検出用のサーミスタである。
【０００８】
また、本体２の底部には、制御基板１６と電極１７、イグナイタ１８が夫々備えられ、本体２の側面には、制御基板１６に接続されて、炊飯スイッチやタイマー予約スイッチ、表示部等を備えたメインパネル１９が設けられている。すなわち、制御基板１６は、メインパネル１９での操作に従い、サーミスタ１５から得られる釜底温度を監視しつつ、電磁弁１２の開閉制御やイグナイタ１８の動作制御等を行うことで、所定の炊飯シーケンスに従ってガスバーナ１１の燃焼を制御するものである。
【０００９】
一方、釜３は、上縁のフランジ部が本体２側の上カバー８で支持される格好で本体２内に収容されるが、釜３の外側面でフランジ部の下面には、複数のリブ２０，２０・・が上下方向に立設されており、釜３の収容状態では、各リブ２０が上カバー８に直接当接して釜３を支持している。よって、釜３の周囲で内胴７との間には排気通路２１が、釜３の周縁部と上カバー８との間には排気口２２が夫々形成されて、ガスバーナ１１の燃焼により発生する燃焼ガスは、図１の点線矢印の如く、排気通路２１及び排気口２２を通って外部に排出されるものとなる。
【００１０】
２３は点滅器１４へのガス接続管で、本体２を貫通して外部に突出し、その先端に、接続筒としてのホースエンド２４が連結されている。ホースエンド２４は、Ｌ字状に形成されるアルミニウム製の筒状体で、図３に示すように、一方の連結端２５が、一対のフランジ２６，２７が軸方向の前後に形成されるガス接続管２３に外嵌される。ここでは、フランジ２６より奥側（本体２側）で連結端２５の外周から２本のビス２８，２８をねじ込むことで、連結端２５内に突出したビス２８，２８の先端とフランジ２６との干渉により、ホースエンド２４は抜け止め状態で回転可能に連結される。なお、ビス２８，２８は、ホースエンド２４の他方の連結端２９が真横を向いた際に上下の直線上に位置するように、連結端２５の直径方向に点対称で配置されている。また、ガス接続管２３におけるフランジ２６，２７の間には、Ｏリング３０が外装されて、ホースエンド２４とガス接続管２３との間をシールしている。
【００１１】
但し、ガス接続管２３の下面でフランジ２６の奥側には、ホースエンド２４の回転に伴うビス２８の移動軌跡（図３の二点鎖線）と交差する格好で、軸方向にストッパ３０が突設されている。このビス２８，２８とストッパ３１とによる回転規制手段により、ホースエンド２４は、図４に示すように、ガス接続管２３より下側で、二本のビス２８，２８が夫々ストッパ３１と当接する実線から二点鎖線での角度α（１８０°以下）の範囲でのみ回転可能となり、ゴムホース３２が連結されるホースエンド２４の他方の連結端２９も、当該角度αに対応する下側でのみ回転が許容されることになる。
【００１２】
このように、上記形態のガス炊飯器１においては、ホースエンド２４のゴムホース３２側の連結端２９が排気口２２側を向かない範囲でのみホースエンド２４の回転を許容する回転規制手段を設けたことで、連結端２９に接続したゴムホース３２が排気口２２に接近したり触れたりするおそれがなくなり、ゴムホース３２の劣化等が効果的に防止される。また、排気口２２には何ら手を加えず、本体２の全周での開口は維持されるので、炊飯時の加熱分布に影響を与えることはない。さらに、回転規制は排気口２２のある上方側のみでなされるから、ゴムホース３２の引き回しに影響が生じず、使い勝手を損ねることもない。
特にここでは、回転規制手段を、ガス接続管２３に突設したストッパ３１と抜け止め用のビス２８，２８との干渉によるものとしているから、ガス接続管２３にストッパ３１を設けるのみの簡単な構成で回転規制が可能となり、回転規制に要するコストが最小限で済む。
【００１３】
なお、ホースエンドの回転規制の角度αは、ゴムホースが排気口に接近や接触しなければ、二本のビス間の角度を変えることで１８０°以上で設定しても良い。また、回転規制の構造も、上記形態に限らず、ホースエンドの近傍で外胴にストッパを突設し、ホースエンドの外周に、ストッパに当接して回転止めする一対の突起（ビスでも良い）を設けたり、逆に外胴側に一対の突起を、ホースエンドに一つのストッパを設けたりする等の構造も可能である。さらに、本体の側面にホースエンドの自由端またはゴムホースが当接するストッパを二箇所突設する単純な構造も採用できるし、ガス接続管の外周面と接続筒の内周面とに夫々形成した凹凸によって回転規制を行うこともできる。
【００１４】
また、上記形態では、排気口は釜に立設したリブによって釜と外胴との間に形成されているが、このような構造に限らず、本体の側面に形成した開口や切欠きによって排気口を形成したり、蓋と本体との間に排気口を形成したり等、本体の側面に排気口を開口させるガス炊飯器であれば本発明は適用可能である。
【００１５】
【発明の効果】
請求項１に記載の発明によれば、接続したゴムホースが排気口に接近したり触れたりするおそれがなくなり、ゴムホースの劣化等が効果的に防止される。また、排気口には何ら手を加えず、本体の開口は維持されるので、炊飯時の加熱分布に影響を与えることはない。さらに、回転規制は排気口のある側のみでなされるから、ゴムホースの引き回しに影響が生じず、使い勝手を損ねることもない。
請求項２に記載の発明によれば、請求項１の効果に加えて、接続筒が、ガス接続管に形成されたフランジと、接続筒に螺合されたビスとの干渉によりガス接続管へ抜け止め連結されるものにあっては、回転規制手段を、ガス接続管に突設したストッパとビスとの干渉による構成としたことで、ガス接続管にストッパを設けるのみの簡単な構成で回転規制が可能となり、回転規制に要するコストが最小限で済む。
【図面の簡単な説明】
【図１】ガス炊飯器の全体説明図である。
【図２】本体底部の平面図である。
【図３】ホースエンド部分の拡大断面図である。
【図４】ホースエンドの可動範囲を示す説明図である。
【符号の説明】
１・・ガス炊飯器、２・・本体、３・・釜、６・・外胴、７・・内胴、１１・・ガスバーナ、２３・・ガス接続管、２４・・ホースエンド、２５，２９・・連結端、２８・・ビス、３１・・ストッパ、３２・・ゴムホース。
【図１】
2004290378.tif 000003
【図２】
2004290378.tif 000004
【図３】
2004290378.tif 000005
【図４】
2004290378.tif 000006